(57)【要約】【課題】  熱転写リボンの構成（構造）を把握して熱転写リボン特有のリサイクルのありかたをビジネスモデルとして捉えることにより、熱転写リボンのリサイクルを経済的に実践する提案を提供する。【解決手段】  熱転写リボン回収・分解・分別工程４１では、ユーザ（市場）から使用済みの熱転写リボン１０を回収して集める。集まった熱転写リボン１０に対して必要に応じ分解分別し、一定量確保した後、特定の品目については、次の熱転写リボン再生工程４２に供給する。そして、熱転写リボン再生工程４２では、熱転写リボン回収・分解・分別工程４１から搬入した前記「特定の品目」をリユース部品として活用し、必要に応じて新品の部品（または材料）も合わせて、再生熱転写リボンを製造する。【選択図】図４
2006181864.tif 000002
【特許請求の範囲】
【請求項１】
熱転写プリンタに使用する熱転写リボンの使用済みのものを再処理して利用可能とするリサイクルシステムにおいて、
使用済みの熱転写リボンを市場から回収し、必要に応じ、該熱転写リボンを芯材とインクリボンとに分解分別する熱転写リボン回収・分解・分別工程と、使用済みの熱転写リボンを用いて新規の熱転写リボンを作る熱転写リボン再生工程とを有することを特徴とする熱転写リボンリサイクルシステム。
【請求項２】
請求項１記載の熱転写リボンリサイクルシステムにおいて、
前記熱転写リボン回収・分解・分別工程では、前記熱転写リボン再生工程から出されるリサイクル対象品に関する情報に基づいて、熱転写リボンの種類毎に、使用済みの熱転写リボンを分解しないでそのまま前記熱転写リボン再生工程に送る処理、使用済みの熱転写リボンを芯材とインクリボンに分解して、該芯材を前記熱転写リボン再生工程に送る処理、使用済みの熱転写リボンを芯材とインクリボンとに分解して、該インクリボンを前記熱転写リボン再生工程に送る処理および熱転写リボンを芯材とインクリボンに分解して、該芯材と該インクリボンを前記熱転写リボン再生工程に送る処理の何れか一つの処理を選択し、実行することを特徴とする熱転写リボンリサイクルシステム。
【請求項３】
請求項２記載の熱転写リボンリサイクルシステムにおいて、
前記熱転写リボン回収・分解・分別工程では、前記熱転写リボン再生工程から出される使用済みの熱転写リボンの需要量に関する情報に基づいて、必要量の使用済みの熱転写リボン、芯材またはインクリボンを前記熱転写リボン再生工程に送ることを特徴とする熱転写リボンリサイクルシステム。
【請求項４】
請求項３記載の熱転写リボンリサイクルシステムにおいて、
前記熱転写リボン回収・分解・分別工程では、前記熱転写リボン再生工程に送る使用済みの熱転写リボン、芯材またはインクリボンに対して商品コードを設け、かつ、前記使用済みの熱転写リボンの需要量に関する情報に基づいて、必要量の使用済みの熱転写リボン、芯材またはインクリボンを送る際に送付ロット毎の製造コードを設けることを特徴とする熱転写リボンリサイクルシステム。
【請求項５】
請求項２ないし４の何れか一つに記載の熱転写リボンリサイクルシステムにおいて、
前記熱転写リボン回収・分解・分別工程と前記熱転写リボン再生工程との間で通信手段を用いた情報の伝達が行われることを特徴とする熱転写リボンリサイクルシステム。
【請求項６】
請求項５記載の熱転写リボンリサイクルシステムにおいて、
前記通信手段は、情報処理機器を用いたインターネット通信であることを特徴とする熱転写リボンリサイクルシステム。
【請求項７】
請求項６記載の熱転写リボンリサイクルシステムにおいて
前記熱転写リボン回収・分解・分別工程および前記熱転写リボン再生工程は、各々、送／受信される情報を保管するためのデータ保管手段を有し、かつ、各々、情報を出力する出力手段を有することを特徴とする熱転写リボンリサイクルシステム。
【請求項８】
請求項３記載の熱転写リボンリサイクルシステムにおいて、
前記熱転写リボン回収・分解・分別工程は、リサイクル実施に関する情報を情報処理機器でデータ管理していることを特徴とする熱転写リボンリサイクルシステム。
【請求項９】
請求項８記載の熱転写リボンリサイクルシステムにおいて、
前記リサイクル実施に関する情報は、回収した使用済みの熱転写リボンの量データおよび前記熱転写リボン再生工程に送った使用済みの熱転写リボン、芯材またはインクリボンの量データ、前記熱転写リボン再生工程に送る以外の手段にて処理した場合のその手段の内容および量のデータ、ならびに上記量データから算出される、リサイクル率、リユース率、マテリアルリサイクル率、エネルギーリカバリ率のデータを少なくとも１つ以上含むことを特徴とする熱転写リボンリサイクルシステム。
【請求項１０】
請求項３記載の熱転写リボンリサイクルシステムにおいて、
前記熱転写リボン回収・分解・分別工程の中に、インクリボンの色別に分別する作業を有することを特徴とする熱転写リボンリサイクルシステム。
【請求項１１】
請求項２記載の熱転写リボンリサイクルシステムにおいて、
前記熱転写リボン再生工程は、前記熱転写リボン回収・分解・分別工程から供給された芯材に、新品のインクリボン取り付けて熱転写リボンを再生・製造することを特徴とする熱転写リボンリサイクルシステム。
【請求項１２】
請求項２記載の熱転写リボンリサイクルシステムにおいて、
前記熱転写リボン再生工程は、前記熱転写リボン回収・分解・分別工程から供給された使用済みの熱転写リボンまたは分別後のインクリボンに対し、これらのインクリボン部のインク剥離部分にインクを充填して熱転写リボンを再生・製造することを特徴とする熱転写リボンリサイクルシステム。
【発明の詳細な説明】
【技術分野】
【０００１】
本発明は、熱転写プリンタに使用する熱転写インクリボン（以下、「熱転写リボン」という）のリサイクルシステムに関する。
【背景技術】
【０００２】
現代社会においては、環境問題に関する重要性が以前に増して認識されてきている。そのため、消費者や投資家は、環境への配慮を切り口に企業を厳しく選別するようになってきている。それ故に、企業にとっては、これまで行ってきた利益創出活動と共に、今後は環境保全活動をも行うことが課題となる。
したがって、資源の有効活用および廃棄物の削減の点から、企業は、製品、部品、材料をリサイクルして活用することが急務となっている。消費エネルギー削減や有害物質の排出防止と同時に、このリサイクルの領域で率先して取組む企業ほど成長の道が開けてくると言える。
【０００３】
ところで、このリサイクルに関して、そのリサイクル処理手段を大別すると以下のようなものがある。
１．自家再使用
製品を使用するユーザ自身が、製品内の一部（部品等）を再使用するリサイクル処理である。この自家再使用は、ユーザが簡易に実施できるという前提で行われるものとなるので、環境負荷低減効果が最も大きく、かつ、コストが最も小さい処理の仕方であるといえる。
２．製品再使用
使用済みとなって市場から回収される製品（以下、「回収機」という）に対して、所定の再生処理を施して「再生機」として再使用するリサイクル処理である。この処理の場合は、製品を構成する大部分はそのまま再使用されるので、環境負荷低減効果が非常に大きい。
【０００４】
３．部品再使用
回収機から部品またはユニットを取り出し、新規の製品内の部品またはユニットとして再使用するリサイクル処理である。この処理の場合、本来は加工等の相当量のエネルギーを注いで製造される部品、ユニットに対し、その製造工程が省略されるという点で、環境負荷低減効果は大きい。
４．マテリアルリサイクル
回収機を材料単位に分解・分別し、その後何らかの処理をして再生材料として使用するリサイクル処理である。なお、この処理の場合、同一分野の製品の材料として再利用するクローズドループマテリアルリサイクルと、他分野の製品の材料として再利用するオープンループマテリアルリサイクルとがある。
【０００５】
５．再原料化
回収機を分解・分別し、最終的に原材料まで戻して再使用するリサイクル処理である。この処理を行うことにより、廃棄物ゼロを具現化することができる。
６．エネルギーリカバリ
プラスチックを燃焼させる等で、熱エネルギーを有効活用する処理である。
上記１〜６のリサイクル処理手段においては、環境負荷低減効果の点で、一般に最も望ましいのが１で、以下２、３、・・・、６ の順となっている。したがって、いかに上位の手段で継続的にリサイクルを可能とさせていくかが、企業が具体的にリサイクルを推進していく上での重要なポイントとなる。
【０００６】
しかし、実際は、上位にあるもの、例えば「１．自家再使用」のみで半永久的に処理し続けることは不可能で、ある一定の期間後には必ずその手段を断念しなければならない。何故ならば、その製品が有している機能そのものが、ある一定の期間後には陳腐化し、もはや市場またはユーザに対してその機能が有用なものではなくなってしまうので、その手段でリサイクルをすることに経済的価値がなくなってしまうからである。
その場合、これまで上位の手段で行われていたリサイクルが、下位の手段（例えば、これまで上記「１．自家再使用」のリサイクルを行っていた物は、２．以下の手段）になっていくことになる。そのようにして、下位に下がった手段でまた一定の期間リサイクルが行われ、それが陳腐化したらまた下位へ、・・・・という推移を示していくことになる。
【０００７】
よって、リサイクルにおいては、上記１〜６のどれかのリサイクル処理手段のみを実施していればよいというわけではなく、その全ての手段が実施されていかなければならない。また実際、それら１〜６のリサイクル処理手段は、同時並行で実施されなければならない。
何故なら、製品の種類毎によって、手段の段階（上記１〜６のリサイクル処理手段のこと）は異なってくるだろうし、また、一つの製品に限定しても、その内部の部品、ユニットによって各々リサイクル手段の段階は違ってくると考えられるからである。
【０００８】
以上のリサイクル処理は、例えば本願出願人が提案した特開２０００−１８１９５８号公報記載のリサイクルシステムにて開示されていて、図１３に示すように、リサイクルシステムの概念をフロー（コメットサークル）として明確化している。但し、リサイクルの実際の運用においては、この基本概念であるコメットサークルをどのように具体化させるかが重要となる。なお、図１３における各符号１〜２０は、上記特開２０００−１８１９５８号公報の図１に記載されたものであって、後述する各実施例等とは関係ないことを付記しておく。
【０００９】
ところで、近年プリンタの需要が年々増加している。このプリンタの記録方式としては、電子写真方式、インクジェット方式、感熱転写方式等があるが、この中で保守が容易で騒音がない等の理由により、感熱転写方式、すなわち熱転写プリンタが注目されている。
そして、前述のリサイクルにおけるコメットサークルに関する記載中、特に、「よって、リサイクルにおいては、上記１〜６のどれかのリサイクル処理手段のみを実施していればよいというわけではなく、その全ての手段が実施されていかなければならない。また実際、それら１〜６のリサイクル処理手段は、同時並行で実施されなければならない。」という記載は、熱転写プリンタに用いるインクリボン（以下、「熱転写リボン」という）においても当てはまる。以下、これを説明する。
【００１０】
従来において、熱転写リボンのリサイクル方法としていくつかの技術提案（以下、単に「提案」という）がある。第一の提案としては、特開平６−４８０４９号公報記載の熱転写インクリボンとその再生方法が挙げられる。これは、印字品質の劣化を抑えて熱転写リボンを再生して提供することを目的として、熱転写リボンのインク層を工夫している。具体的には、溶融した熱転写インクに対する後退接触角が９０度以内となる剥離層を熱転写リボンの支持基板（基材）の上に形成し、剥離層上に熱転写インク層を設ける構成を採っている。この技術は、技術的内容そのものは優れたものであるといえる。
【００１１】
第二の提案としては，特開２００１−２９３９２２号公報記載の画像記録装置およびインクリボンが挙げられる。これは、熱転写リボンの構造に関する提案であり、具体的には、熱転写プリンタ側に熱転写リボン巻取りコアを設け、これによって熱転写リボンを巻き取ることにより、熱転写リボンの巻取り側リボンコアを廃止（省資源化）したものである。また、熱転写リボン巻取りコアおよび熱転写リボンの構造を取り付け・取り外しの容易なものとし、さらに、自動ローディング機構を設けることによって、熱転写リボンの取り付け取り外しを一層容易なものとしている。
【００１２】
【特許文献１】特開２０００−１８１９５８号公報
【特許文献２】特開平６−４８０４９号公報
【特許文献３】特開２００１−２９３９２２号公報
【発明の開示】
【発明が解決しようとする課題】
【００１３】
しかしながら、第一の提案（特開平６−４８０４９号公報）に係る技術では、新品で熱転写リボンで製造販売していた時期と再生する時期とでは、熱転写リボンの仕様（スペック）が必ずしも同じではない。例えば、インクの素材などがこれに該当する。熱転写プリンタは、工場内で使用するバーコ−ド用などに使用されるため、熱転写リボンの外形形状、例えば芯材であるコアの大きさ、リボンの幅などに関してはその設計的な仕様が変わることはほとんどないが、インクそのものについての商品スペックの変化は、耐久性を向上させる等の目的があるため、日進月歩である。その結果、旧来の熱転写リボンから印字によってインクが抜けた箇所に新たなインクを補充するという方式は、実用面からみて汎用性が高いとは言えない。
但し、比率的に少ないとはいえ一部の製品に関しては、インクが共通化されていて、その結果、この提案の技術が使用できるであろう。つまり、第一の提案はリサイクルを実践する上で補助的な役割を担うことはできるが、本質的な役割を担うことはできない。すなわち、何か別のリサイクル提案があって、初めて第一の提案は補助手段として生きてくるという意味合いのものである。その結果、第一の提案は、技術的に秀でているにもかかわらず汎用性の理由などで、発明者が特許権利化を放棄してしまっている。
【００１４】
第二の提案（特開２００１−２９３９２２号公報）では、構造上、一方で熱転写リボンの芯材を不要としている。しかしながら、他方でプリンタ本体側に複雑な機構を追加している。それ故に、省資源という観点からみれば、この提案では十分であるとは言えない。
また、第二の提案では、資源を循環させるという概念が含まれていない。仮に、プリンタ本体の部品点数が増えていたとしても、プリンタ本体が循環活用できる提案になっていれば良いが、第二の提案はそうではない。それ故に、トータルで見た場合、省資源化されているとは言えない。さらに、プリンタ側での部品追加は、プリンタ本体のコスト上昇、延いては価格上昇に繋がる。本来ならば、プリンタ本体の構造をできるだけ変えず、あるいは部品点数を減らして、かつ、熱転写リボンのリサイクルを行うことが望ましいのである。
【００１５】
総じて、上記第一、第二の提案に共通する問題点は、ある工程の一面のみを捉えているだけで資源循環を俯瞰的に捉えていないことであると言える。
【００１６】
本発明は、前述した事情に鑑みてなされたものであって、前述の従来技術における課題を解決し、前述の「コメットサークル」の概念を捉えて具現化し、かつ、熱転写リボンの構成（構造）を把握して熱転写リボン特有のリサイクルのありかたをビジネスモデルとして捉えることにより、熱転写リボンのリサイクルを経済的に実践する提案を提供することを主な目的としている。その他、後述する効果を奏する熱転写リボンリサイクルシステムを提供することも目的としている。
【課題を解決するための手段】
【００１７】
前述した課題を解決すると共に前述した目的を達成するために、各請求項ごとの発明では、以下のような特徴ある手段・発明特定事項（以下、「構成」という）を採っている。
請求項１記載の発明は、熱転写プリンタに使用する熱転写リボンの使用済みのものを再処理して利用可能とするリサイクルシステムにおいて、使用済みの熱転写リボンを市場から回収し、必要に応じ、該熱転写リボンを芯材とインクリボンとに分解分別する熱転写リボン回収・分解・分別工程と、使用済みの熱転写リボンを用いて新規の熱転写リボンを作る熱転写リボン再生工程とを有することを特徴とする。
ここで、「市場」とは、ユーザを含む広い概念を意味する。また、「必要に応じ」とは、熱転写リボン再生工程から伝達されるリサイクル対象品に関する情報によって決まってくるものであり、使用済みの熱転写リボンを芯材とインクリボンとに分解しない、使用済みの熱転写リボンその物自体を含む広い概念を意味する（請求項２参照）。
【００１８】
請求項２記載の発明は、請求項１記載の熱転写リボンリサイクルシステムにおいて、前記熱転写リボン回収・分解・分別工程では、前記熱転写リボン再生工程から出されるリサイクル対象品に関する情報に基づいて、熱転写リボンの種類毎に、使用済みの熱転写リボンを分解しないでそのまま前記熱転写リボン再生工程に送る処理、使用済みの熱転写リボンを芯材とインクリボンとに分解して、該芯材を前記熱転写リボン再生工程に送る処理、使用済みの熱転写リボンを芯材とインクリボンとに分解して、該インクリボンを前記熱転写リボン再生工程に送る処理および使用済みの熱転写リボンを芯材とインクリボンとに分解して、該芯材と該インクリボンとを前記熱転写リボン再生工程に送る処理の何れか一つの処理を選択し、実行することを特徴とする。
なお、請求項２において、「…処理」とは、…処理手段を意味する。
【００１９】
請求項３記載の発明は、請求項２記載の熱転写リボンリサイクルシステムにおいて、前記熱転写リボン回収・分解・分別工程では、前記熱転写リボン再生工程から出される使用済みの熱転写リボンの需要量に関する情報に基づいて、必要量の使用済みの熱転写リボン、芯材またはインクリボンを前記熱転写リボン再生工程に送ることを特徴とする。
【００２０】
請求項４記載の発明は、請求項３記載の熱転写リボンリサイクルシステムにおいて、前記熱転写リボン回収・分解・分別工程では、前記熱転写リボン再生工程に送る使用済みの熱転写リボン、芯材またはインクリボンに対して商品コードを設け、かつ、前記使用済みの熱転写リボンの需要量に関する情報に基づいて、必要量の使用済みの熱転写リボン、芯材またはインクリボンを送る際に送付ロット毎の製造コードを設けることを特徴とする。
【００２１】
請求項５記載の発明は、請求項２ないし４の何れか一つに記載の熱転写リボンリサイクルシステムにおいて、前記熱転写リボン回収・分解・分別工程と前記熱転写リボン再生工程との間で通信手段を用いた情報の伝達が行われることを特徴とする。
【００２２】
請求項６記載の発明は、請求項５記載の熱転写リボンリサイクルシステムにおいて、前記通信手段は、情報処理機器を用いたインターネット通信であることを特徴とする。
【００２３】
請求項７記載の発明は、請求項６記載の熱転写リボンリサイクルシステムにおいて前記熱転写リボン回収・分解・分別工程および前記熱転写リボン再生工程は、各々、送／受信される情報を保管するためのデータ保管手段を有し、かつ、各々、情報を出力する出力手段を有することを特徴とする。
【００２４】
請求項８記載の発明は、請求項３記載の熱転写リボンリサイクルシステムにおいて、前記熱転写リボン回収・分解・分別工程は、リサイクル実施に関する情報を情報処理機器でデータ管理していることを特徴とする。
【００２５】
請求項９記載の発明は、請求項８記載の熱転写リボンリサイクルシステムにおいて、前記リサイクル実施に関する情報は、回収した使用済みの熱転写リボンの量データおよび前記熱転写リボン再生工程に送った使用済みの熱転写リボン、芯材またはインクリボンの量データ、前記熱転写リボン再生工程に送る以外の手段にて処理した場合のその手段の内容および量のデータ、ならびに上記量データから算出される、リサイクル率、リユース率、マテリアルリサイクル率、エネルギーリカバリ率のデータを少なくとも１つ以上含むことを特徴とする。
【００２６】
請求項１０記載の発明は、請求項３記載の熱転写リボンリサイクルシステムにおいて、前記熱転写リボン回収・分解・分別工程の中に、インクリボンの色別に分別する作業を有することを特徴とする。
【００２７】
請求項１１記載の発明は、請求項２記載の熱転写リボンリサイクルシステムにおいて、前記熱転写リボン再生工程は、前記熱転写リボン回収・分解・分別工程から供給された芯材に、新品のインクリボン取り付けて熱転写リボンを再生・製造することを特徴とする。
【００２８】
請求項１２記載の発明は、請求項２記載の熱転写リボンリサイクルシステムにおいて、前記熱転写リボン再生工程は、前記熱転写リボン回収・分解・分別工程から供給された使用済みの熱転写リボンまたは分別後のインクリボンに対し、これらのインクリボン部のインク剥離部分にインクを充填して熱転写リボンを再生・製造することを特徴とする。
【発明の効果】
【００２９】
本発明によれば、前記課題を解決して新規な熱転写リボンリサイクルシステムを提供することができる。主な発明の効果を挙げれば、以下のとおりである。
本発明によれば、熱転写リボンは、その構成（外形構造）が芯材とインクリボンとの２種類にほぼ画一化されていながら、同時に、芯材やインクリボンに使用される材料は多種に渡り非常に複雑化しているという、他の商品にはあまりない特徴を持っている。そこで、単に一種類の熱転写リボンに着目し改良するのではなく、複数種類の熱転写リボンの特徴を俯瞰的に捉えてシステム化することで、複数種の製品によるリユース等の組み合わせの最適化を行うことができるので、熱転写リボン自体や熱転写プリンタ本体の構成（構造）を複雑化することなく、リサイクルを経済的に行うことが可能となる（請求項１、２、１０ないし１２）。
【００３０】
本発明によれば、次工程にて要求される品目や生産計画を把握することができるので、オンデマンドな供給が可能であって、円滑なリサイクルを行うことができる（請求項３、４）。
【００３１】
本発明によれば、熱転写リボン回収・分解・分別工程と熱転写リボン再生工程とが各々遠隔に存在していても、迅速正確に情報を伝達することが可能となる。
さらに、情報の保管が可能となり、必要なときに情報を参照可能となる（請求項５ないし７）。
【００３２】
本発明によれば、環境保全に関する情報を把握し管理することが可能となるので、円滑なリサイクルを行うことができる（請求項８、９）。
【発明を実施するための最良の形態】
【００３３】
以下、図を参照して、本発明を実施するための最良の形態を含む実施例を説明する。各実施例および変形例等に亘り、同一の機能等を有する工程や情報、あるいは同一の機能および形状等を有する部材や構成部品等の構成要素については、同一符号を付すことにより一度説明した後ではその説明をできるだけ省略する。図および説明の簡明化を図るため、図に表されるべき工程や情報あるいは構成要素であっても、その図において特別に説明する必要がないものは適宜断わりなく省略することがある。
【実施例１】
【００３４】
まず、図１ないし図３を参照して、熱転写リボンの基本的構成（構造）を説明する。
図１に示すように、熱転写リボン１０は、コアとも呼ばれる芯材１１とインクリボン１２とから成る。芯材１１は、円筒形であり、その材質としては、通常は塩化ビニル樹脂、ポリスチレンまたは厚紙等であるが、品種によってはアルミニウム等の金属を使用する場合もあり、適応材料は多い。但し、何れの材料を芯材１１に用いるにせよ、通常は単一の材料で構成されることが多い。
【００３５】
一方、インクリボン１２に関しては、複数の薄い層からなり、その層の構成はインクリボンの種類によって数分類に分かれる。例えば、図２（ａ）に示すように、図において下の層から上へ順に、バック層２４、基体２１、剥離層２２およびインク層２３から成るものや、図２（ｂ）に示すように、バック層２４、基体２１、インク層２３および梨地模様で示すバリヤ性層２５から成るものがある。
インクリボン１２の各層に用いられる材料は非常に多い。これは、印字される側の媒体が、紙ベース、布ベースまたはフィルムベースと多岐に渡っていることに起因する。但し、図２（ａ）、（ｂ）に共通して、基体２１には、ポリエステル樹脂、ポリスチレン樹脂あるいはポリエチレンナフタレート樹脂等公知の有機樹脂フィルムが使用されることが多い。なお、基体２１の厚さは、通常、０．５〜２０μｍが適当である。
【００３６】
この熱転写リボン１０の印字方式（感熱転写方式）には、熱溶融性物質をリボンの着色剤に用いる溶融型熱転写記録法と、昇華性染料を用いる昇華型熱転写記録法とがある。これらは、前者が主としてバーコード等の単色用として用いられ、後者がフルカラー用として用いられることが多い。そして、一般には、熱溶融型が図２（ａ）のタイプ、昇華型が図２（ｂ）のタイプで構成することが多い。
ところで、画像記録装置としての熱転写プリンタの本体（図示せず）内では、熱転写リボン１０は、図３に示すように巻き取り側コア３１と送り側コア３２との、いわゆる２ロール方式を取っているものが多い。したがって、熱転写リボンの使用前（熱転写プリンタへの取り付け前）の構造と、使用後（熱転写プリンタからの取り外し後）の形状は、共に図１に示す状態のもので、共通の構造となっている。
【００３７】
以下、熱転写リボンをリサイクルするシステムを説明する。
図４において、熱転写リボン回収・分解・分別工程４１では、ユーザ（市場）から使用済みの熱転写リボン１０を回収して集める。そして、集まった熱転写リボン１０に対して必要に応じ分解分別し、一定量確保した後、特定の品目については、次の熱転写リボン再生工程４２に供給する。ここで、上述の「必要に応じ」および「特定の品目」とは、熱転写リボン再生工程４２から出され伝達される情報によって決まってくる。
そして、熱転写リボン再生工程４２では、熱転写リボン回収・分解・分別工程４１から搬入した前記「特定の品目」をリユース部品として活用し、必要に応じて新品の部品（または材料）も合わせて、再生熱転写リボンを製造する。
【００３８】
ここで、図４のシステム運営を円滑に行うために、各工程４１、４２では色々な情報伝達が行われる。伝達される情報の一つとして、リサイクル対象品に関する情報としてのリサイクル対象品情報４ａ、すなわち、「回収された使用済みの熱転写リボンから何を再使用（リユース）する対象品とするか？を明確にした情報」がある。このリサイクル対象品情報４ａは、熱転写リボン再生工程４２から発信される。例えば、図５に示すように、再使用（以下、「リユース」というときがある）する対象品が芯材１１の場合、熱転写リボン回収・分解・分別工程４１では、回収した使用済みの熱転写リボン１０を使用済みの芯材１１（以下、単に「芯材１１」という）と使用済みのインクリボン１２（以下、単に「インクリボン１２」という）とに分解分別する。そして、芯材１１のみを熱転写リボン再生工程４２に送り、残ったインクリボン１２は他の処理施設、例えばエネルギーリカバリ施設等に送って処理する。この場合、芯材１１は、少なくとも再使用可能な程度の機能を保持している必要がある。
【００３９】
一方、熱転写リボン再生工程４２では、供給された芯材１１に新品のインクリボン（図５では「新品インクリボン」と記載）を取り付けて、すなわち熱転写リボン回収・分解・分別工程４１から供給された芯材１１に対して、これを再使用して、新品のインクリボンを巻き取って再生熱転写リボンとして出荷する。
このとき、リサイクル対象品情報４ａの情報伝達方式の一例としては、熱転写リボン再生工程４２にて、リサイクル対象品情報４ａをパーソナル・コンピュータ（以下、「パソコン」と略称する）４３等にてインターネット通信にて情報発信し、そして、熱転写リボン回収・分解・分別工程４１にて、他のパソコン４３で受信し、そのパソコン４３の画面上で再使用（リユース）する対象品が芯材１１であることを確認するという手段がある。このように、熱転写リボン回収・分解・分別工程４１と熱転写リボン再生工程４２との間では、情報処理機器を用いたインターネット通信である通信手段の一例としてのパソコン４３を用いた情報の伝達が行われる。
なお、リサイクル対象品情報４ａの情報伝達の他の方法・通信手段としては、インターネット・ファクシミリ（ＦＡＸ：図示せず）等での入力（情報発信）や、プリンタ４４等で出力して紙にて確認（情報受信）する手段等を用いてもよい。
【００４０】
ところで、これまでの説明では、熱転写リボン回収・分解・分別工程４１は一箇所で全作業を行うことを想定しているが、これに限定する必要はなく、回収を担当する回収センターと分解分別を担当するリサイクルセンターとに工程分割してもよい。
また、使用済みの熱転写リボンの回収の仕方に関しては、特に、固定した方法である必要はない。例えば、新品熱転写リボンをユーザに届ける際に、同時にユーザにおいて生じた使用済みの熱転写リボンを回収して熱転写リボン回収・分解・分別工程４１まで搬送するという方法をとってもよいし、また電話等でユーザから連絡（使用済みの熱転写リボンが一定量溜まったという連絡）を受けた後に、熱転写リボン回収・分解・分別工程４１に運ぶ方法をとってもよい。また、特にユーザとの連絡は行わず、定期的にユーザのところに回収に行く方法をとってもよい。
【実施例２】
【００４１】
図６を参照して、前述のリサイクル対象品情報４ａに関して、リユースの対象が実施例１と異なる場合を、実施例２として、以下説明する。
実施例２として、リユースする対象品がインクリボン１２の場合、熱転写リボン回収・分解・分別工程４１では、回収し分解分別した後、インクリボン１２のみを熱転写リボン再生工程４２に送り、残った芯材１１は他の処理施設、例えばエネルギーリカバリ施設等に送って処理する。この場合、インクリボン１２は、少なくとも再使用可能な程度の機能を保持している必要がある。
但し、芯材１１は単一の素材であることが多いので、マテリアルリサイクル業者に送るという方法も可能である。そして、熱転写リボン再生工程４２では、供給されたインクリボン１２と新品の芯材（図６では「新品芯材」と記載）とを取り付けて、再生熱転写リボンとして出荷する。
【００４２】
上記例の場合は、熱転写リボン再生工程４２に供給されたインクリボン１２は、前回使用時の印字部分のインクが抜けているため、これを再生する必要がある。この時のインク剥離部分であるインク抜け部の再生には、例えば、前述の従来技術例、すなわち特開平６−４８０４９号公報記載の熱転写インクリボンとその再生方法等を活用・利用してインクを充填することも可能である。
【００４３】
実施例２の別の例として、図７に示すように、熱転写リボン１０を丸ごとリユースする場合がある。
この例の場合、熱転写リボン回収・分解・分別工程４１では、市場から使用済みの熱転写リボン１０を回収するのみで、分解は行わない。そして分別後の使用済みの熱転写リボン１０を一定量確保の後、回収した使用済みの熱転写リボン１０を熱転写リボン再生工程４２に送る。そして熱転写リボン再生工程４２では、そのインクリボンのインク抜け部の再生処理を上述した例と同様の従来技術例を利用して行って、再生熱転写リボンとして出荷する。
【００４４】
さらに別の例として、前述の実施例１や実施例２の上記例が複合される場合がある。すなわち、熱転写リボンの製品品種別、あるいはカラーの色別等で再使用（リユース）する対象が、芯材１１、インクリボン１２、熱転写リボン１０丸ごとに分かれる場合には、熱転写リボン再生工程４２にて、対象品目別に供給形態（芯材、インクリボンまたは熱転写リボン丸ごと）が明確になるような情報発信を行う。
この一例としては、リサイクル対象品情報４ａを図８に示す図表のように一覧表化する手段がある。この図表を、熱転写リボン再生工程４２のパソコン４３（図４参照）で作成してインターネット通信をする。そして、熱転写リボン回収・分解・分別工程４１では、別のパソコン４３の画面上で図８に示されている一覧表を確認して、指示に従った分解分別を行うものである。
【実施例３】
【００４５】
次に、図９を参照して、システム運営を円滑に行うための情報伝達の別の例として実施例３を説明する。図９に示す実施例３では、生産計画を満足するための情報伝達が行われる例を示している。
熱転写リボン再生工程４２において、再生熱転写リボンを所望量生産するためには、使用済みの熱転写リボン、芯材またはインクリボンが所望量必要となる。そこで、それらは使用済みの熱転写リボンの需要量に関する情報としての使用済み熱転写リボン需要量情報９ａとして、熱転写リボン再生工程４２から熱転写リボン回収・分解・分別工程４１へと要求量が伝達される。例えば、月毎に使用したい重量または個数が前記インターネット通信等と同様の通信手段を介して伝達される。そして、その熱転写リボン需要量情報９ａに基づき、熱転写リボン回収・分解・分別工程４１では、使用済みの熱転写リボンの分解分別量を決定する。
【００４６】
なお、上記情報伝達形式の一例として、使用済み熱転写リボン需要量情報９ａに関して、図１０に示す図表のようにするものがある。この図１０に示した表を、熱転写リボン再生工程４２のパソコン等にて作成してインターネット通信をする。そして、熱転写リボン回収・分解・分別工程４１の別のパソコン等で表の確認を行う。この図１０に示した表では、使用したい使用済みの熱転写リボン、芯材またはインクリボンの量を例えば月毎で記載する。
【００４７】
さらに、図１１に示すように、使用済み熱転写リボン需要量情報９ａに関して、使用済みの熱転写リボン、芯材、インクリボンの各種類毎に、商品コード１１ａを設けると共に、月毎などでロットＮＯ．１１ｂを設けることにより、熱転写リボン再生工程４２と熱転写リボン回収・分解・分別工程４１との双方が、より管理をし易くすることも可能である。
なお、熱転写リボン再生工程４２や熱転写リボン回収・分解・分別工程４１では、インターネット通信等で伝達された表をプリンタ等で予め紙に出力しておき、紙にて照らし合わせを行ってもよい。
但し、本実施例で注意すべきことは、使用済みの熱転写リボンの回収量によって決まる供給能力に対して、使用済み熱転写リボン需要量情報９ａの需要量が不足しているようなケース、つまり需要と供給とのアンバランスが生じることはありうる。つまり、回収量があまり多いと、リサイクル対象品情報４ａで対象となる品目であっても、熱転写リボン再生工程４２には供給できなくなる。上記のようなケースの場合には、その一部をエネルギーリカバリ処理施設やマテリアルリサイクル業者へ転用する対応をとる必要がある。
【実施例４】
【００４８】
次に、図１２を参照して、システム運営を円滑に行うための別の例として、リサイクル実施状況の把握を可能とする実施例４を説明する。
熱転写リボン回収・分解・分別工程４１では、熱転写リボン再生工程４２で再使用する内容も含め、熱転写リボンの処理に関する情報、すなわちリサイクル実施に関する情報としてのリサイクル実施情報１２ａをパソコン等の情報処理機器にてデータ管理している。図１２において、「使用済ＴＴＲ回収量」とは、使用済みの熱転写リボンの回収量の略語を意味し、また「〜」という記号は、具体的な数値等を意味する。
【００４９】
このリサイクル実施情報１２ａとは、具体的には、
１．市場から回収した使用済みの熱転写リボンの量データインプット（ＩＮＰＵＴ）データ
２．それら回収した使用済みの熱転写リボンのうち、熱転写リボン再生工程４２に送った量、すなわちリユース量のデータ
３．熱転写リボン再生工程４２に送った量以外の別手段（例えば、エネルギーリカバリ施設等の活用）にて処理した場合の、各処理手段内容／処理量のデータ等が含まれる。
さらには、上記各データから算出されるリサイクル率データ、リユース率データ、マテリアルリサイクル率データ、エネルギーリカバリ率データ等もリサイクル実施情報１２ａに含まれる。
このように、実施例２ないし４では、熱転写リボン回収・分解・分別工程４１および熱転写リボン再生工程４２は、各々、送／受信される情報を保管するためのデータ保管手段としての例えばパソコン４３のハードディスク等の不揮発性メモリを有し、かつ、各々、情報を出力する出力手段としてのパソコン４３の画面（ＣＲＴや液晶表示画面）やプリンタ４４等を有するものである。
【００５０】
以上述べたとおり、本発明を特定の実施等について説明したが、本発明が開示する技術的範囲は、上述した各実施例等に例示されているものに限定されるものではなく、それらを適宜組み合わせて構成してもよく、本発明の範囲内において、その必要性および用途等に応じて種々の実施形態や変形例あるいは実施例を構成し得ることは当業者ならば明らかである。
【図面の簡単な説明】
【００５１】
【図１】本発明の実施例に係る熱転写リボンの外観構造を示す斜視図である。
【図２】（ａ）は熱溶融型、（ｂ）は昇華型、熱転写印字方式にそれぞれ用いられるインクリボンの断面図である。
【図３】熱転写プリンタ本体で使用される熱転写リボンの構造を示す斜視図である。
【図４】実施例１における熱転写リボンリサイクルシステムの要部の工程図である。
【図５】実施例１の別の例における熱転写リボンリサイクルシステムの要部の工程図である。
【図６】実施例２における熱転写リボンリサイクルシステムの要部の工程図である。
【図７】実施例２の別の例における熱転写リボンリサイクルシステムの要部の工程図である。
【図８】実施例１、２および図７に示した別の例が熱転写リボンリサイクルシステムに複合された場合のリサイクル対象品情報を一覧表で表した図表である。
【図９】実施例３における熱転写リボンリサイクルシステムの要部の工程図である。
【図１０】実施例３における使用済み熱転写リボン需要量情報の一例を示す図表である。
【図１１】図１０の使用済み熱転写リボン需要量情報において、使用したい使用済みの熱転写リボン、芯材またはインクリボンの量を月毎に記載した図表である。
【図１２】実施例４におけるリサイクル実施情報の一例を示す図表である。
【図１３】従来の一般的なリサイクルシステムの概念をフロー化して示した図である。
【符号の説明】
【００５２】
４ａ    リサイクル対象品情報（リサイクル対象品に関する情報）
９ａ  使用済み熱転写リボン需要量情報（使用済みの熱転写リボンの需要量に関する情報）
１０    熱転写リボン
１１    芯材
１１ａ  商品コード
１１ｂ  ロットＮＯ
１２    インクリボン
１２ａ  リサイクル実施情報（リサイクル実施に関する情報）
３１    巻き取り側コア
３２    送り側コア
４１    熱転写リボン・回収・分解・分別工程
４２    熱転写リボン再生工程
４３    パソコン（通信手段の一例、データ保管手段、情報処理機器の一例）
４４    プリンタ（出力手段、情報処理機器の一例）
【図１】
2006181864.tif 000003
【図２】
2006181864.tif 000004
【図３】
2006181864.tif 000005
【図４】
2006181864.tif 000006
【図５】
2006181864.tif 000007
【図６】
2006181864.tif 000008
【図７】
2006181864.tif 000009
【図８】
2006181864.tif 000010
【図９】
2006181864.tif 000011
【図１０】
2006181864.tif 000012
【図１１】
2006181864.tif 000013
【図１２】
2006181864.tif 000014
【図１３】
2006181864.tif 000015